(57)【要約】【課題】外周面が化粧処理されているケーシングの開口に蓋体を取り付け、その蓋体とケーシングとを溶着する場合、ケーシングの一部が溶融するため化粧処理が損なわれ、その部分が目指されるとデザイン性が損なわれてしまう。【解決手段】樹脂製のケーシング本体に形成された開口の周壁に環状のリブを立設し、この開口を閉塞する蓋体とリブとを溶着する場合に、上記ケーシングの周面に化粧処理が施されている場合には、上記リブはこの周面から所定距離内側に形成することによって、リブが溶融しても周面に影響しないようにした。【選択図】  図３
2020059232.tif 000002
【特許請求の範囲】
【請求項１】
樹脂製のケーシング本体に形成された開口の周壁に立設された環状のリブに対して、この開口を閉塞する蓋体が溶着されたケーシングの密閉構造において、上記ケーシングの周面は目視に耐える化粧処理が施されており、上記リブはこの周面から所定距離内側に形成されていることを特徴とするケーシングの密閉構造。
【請求項２】
上記リブは上記蓋体と溶着された状態で内側に向かって湾曲していることを特徴とする請求項１に記載のケーシングの密閉構造。
【請求項３】
上記蓋体には、上記内側に湾曲したリブを収納する溝が形成されていることを特徴とする請求項２に記載のケーシングの密閉構造。
【発明の詳細な説明】
【技術分野】
【０００１】
本発明は、ケーシング本体の開口に蓋体を取付、ケーシング本体に対して蓋体を全周にわたって溶着することによってケーシングの内部空間を外部に対して密閉するケーシングの密閉構造に関する。
【背景技術】
【０００２】
断面が四角形の筒状体をケーシング本体とする照明器具において、ケーシング本体の両端の開口に蓋体を嵌め込み、その蓋体をケーシング本体の開口の全周にわたって溶着させることによってケーシング本体の内部空間を外部に対して密閉するようにしたものが知られている（例えば、特許文献１参照）。
【先行技術文献】
【特許文献】
【０００３】
【特許文献１】特開２０１６−２０３４７７号公報（図２、図３）
【発明の概要】
【発明が解決しようとする課題】
【０００４】
上記従来の構造では、ケーシング本体の外周面全体は目視に耐えられるように化粧処理がされている。具体的には、表面が平面に成型されており、全体的に平面にであって均一な光沢を有している。
【０００５】
ところが上記従来の溶着手法ではケーシング本体の端部を溶着させるため、化粧処理されている周面の一部が溶着によって一旦熔解されるため、化粧処理がなくなり、ケーシング本体の両端部分が醜くなって意匠的価値が損なわれるという不具合が生じる。
【０００６】
そこで本発明は、上記の問題点に鑑み、ケーシング本体の開口に蓋体を溶着しても側面の化粧処理が損なわれることのないケーシングの密閉構造を提供することを課題とする。
【課題を解決するための手段】
【０００７】
上記課題を解決するために本発明によるケーシングの密閉構造は、樹脂製のケーシング本体に形成された開口の周壁に立設された環状のリブに対して、この開口を閉塞する蓋体が溶着されたケーシングの密閉構造において、上記ケーシングの周面は目視に耐える化粧処理が施されており、上記リブはこの周面から所定距離内側に形成されていることを特徴とする。
【０００８】
リブを溶着する場合に、そのリブは成型後に一旦溶融され表面に化粧処理がされていても、その化粧処理は損なわれるが、化粧処理が必要な周面から内側に設けられているので、周面に施された化粧処理は損なわれない。なお、ここで言う化粧処理とは形成後に塗装され、あるいはコーティングされる処理の他、面粗度が低く光沢を有しているような処理や、意識的な梨地処理を施しているような処理を含む。
【０００９】
上記構成によってリブを溶着のために溶融してもケーシング本体の周面の化粧処理は棄損されないが、そのリブが目視されると全体の意匠が損なわれる場合がある。このような場合には、上記リブは上記蓋体と溶着された状態で内側に向かって湾曲されることによって外部から視認されにくくすることが望ましい。
【００１０】
このリブの湾曲される角度をさらに大きくすると、湾曲されたリブが蓋体に干渉して湾曲される角度が制限される場合がある。このような場合には、上記蓋体には、上記内側に湾曲したリブを収納する溝が形成されていることが望ましい。
【発明の効果】
【００１１】
以上の説明から明らかなように、本発明は、ケーシング本体の開口に蓋体を溶着する際に、ケーシング本体の周面に施した化粧処理が損なわれないので、ケーシング本体の意匠が低下することがない。
【図面の簡単な説明】
【００１２】
【図１】本発明が適用される照明器具を台所に設置した状態を示す図
【図２】蓋体を取り付ける前の開口の状態を示す図
【図３】ケーシングに蓋体を溶着する第１の工程を示す図
【図４】ケーシングに蓋体を溶着する第２の工程を示す図
【図５】ヒータの構造を示す図
【図６】他の実施の形態の断面図
【発明を実施するための形態】
【００１３】
図１を参照して、１は本発明による照明器具で有り、台所の吊り戸棚Ｌの下面に取り付けられている。この照明器具１は下面及び手前側面が透明で、残りの２面が不透明な樹脂で形成された筒状体のケーシング２と、そのケーシング２の両端面に溶着された１対の蓋体３とで構成されている。なお、このケーシング２は押出成形で形成されており、外周面２１は光沢のある化粧処置が施されている。
【００１４】
両端の開口を閉塞するための蓋体を溶着すると、ケーシング２の端部の開口の周縁が溶融されるため、上記化粧処理が損なわれる。すると、ケーシング２の両端部分が他の化粧処理を施されている部分と外観が異なるため、デザイン性が損なわれる。
【００１５】
そこで、図２に示すように、ケーシング２の端部に、化粧処理が施されている外周面２１に対して一段設けた内側に溶着用のリブ２２を設けた。また、蓋体３にはこの溶着用のリブ２２と対峙して溶着される周壁３１を設けると共に、この周壁３１の内側に溝部３２を形成した。
【００１６】
なお、ケーシング２とは別体として押出成形で形成した筒状のスリーブ６をケーシング２内に挿入した。本実施の形態ではケーシング２の両端に開口が形成されているので、このスリーブ６の長さはケーシング２の長さに対して蓋体３の厚みの２倍の寸法分だけ短く形成されている。蓋体３をケーシングの開口に嵌め込むと、スリーブ６の端面６１に蓋体３が当接して、蓋体３は所定の位置で位置決めされることになる。本図に示す４は回路基板で有り、片面に複数個のＬＥＤ４１が所定の間隔で実装されている。
【００１７】
図３を参照して、５は上下方向に移動することのできるジグである。このジグ５は強度を確保するため金属で形成されている。そして、このジグ５の下面には、絶縁体７１を介して溶着用のヒータ７が取り付けられている。このヒータ７はケーシング２の端部形状に合わせて矩形状に形成されており、対向する２ヶ所に通電用のコード７２，７３が接続されており、両コード７２，７３を介して通電されることによって、ヒータ７自体が加熱される。したがって、ヒータ７が加熱された状態でジグ５を下降させれば、ケーシング２のリブ２２と蓋体３の周壁３１とが互いに溶融して溶着される。
【００１８】
本図（ｂ）に示すように、リブ２２と周壁３１との溶着部Ｍは溶着された後に、更に下降するヒータ７によって内側に曲げられ、溝部３２内に倒れこむ。このように、少なくともリブ２２を内側に倒れ込ませることにより、化粧処理された外周面２１の陰に隠れ、溶着部Ｍが外部に晒されることが防止される。
【００１９】
図３に示したように、溶着後はリブ２２は内側に倒れ込んだ状態である。このままでも、溶着部が外部から目立たないが、更にリブ２２が外部に晒されないようにするために、図４に示すように、フラットなヒータ８を用いて内側に傾斜しているリブ２２を更に溝部３２側に倒れこませ、外周面２１に対してほぼ直角の方向に折り曲げるようにしてもよい。なお、本図において８１は絶縁体であり、８２，８３は通電用のコードである。
【００２０】
上記図３および図４では各々ヒータ７およびヒータ８を用いたが、両者は断面形状が相違するが、基本的な構造は同じである。ヒータ８を例にとり、その構造を説明する。図５を参照して、上述のように、ヒータ８は矩形状に形成されている。そして、その断面は、通電によって発熱するヒータ本体８４と、その下面に熱伝導率が極めて高いダイヤモンド粒子を電着した電着層８５を設け、更にその電着層８５の表面を、フッ素樹脂からなるコーティング層８６でコーティングした。
【００２１】
このように構成することにより、コード８２，８３を介して通電するとヒータ本体８４が発熱するが、その発熱により生じた熱エネルギは、ダイヤモンド粒子を通って下面に流れる。そして、その熱エネルギによって上記リブ２２および周壁３１を溶融するが、溶融した樹脂がヒータ８側に粘着しないように、フッ素樹脂からなるコーティング層８６を設けている。
【００２２】
そして、このようにヒータ本体８４を薄い板状にすることによって熱容量を低減させ、通電を停止すると、直ちに冷却されるようにした。従って、上述のように、ヒータ８（あるいはヒータ７）に通電しながらリブ２２や周壁３１を加熱し整形した後、通電を停止すると直ちにリブ２２や周壁３１が冷却され硬化するようにした。なおその際に、空気を吹きかけるなどして冷却速度を速めてもよい。
【００２３】
ところで、上記実施の形態では、ケーシング２として長尺の筒状のものを用いたが、他の形状のケーシングを用いてもよい。例えば、図６に示すように、浴室用のリモコンなどに用いられる、比較的底の浅い有底のケーシング９に本発明を適用してもよい。
【００２４】
この場合には、ケーシング９の外周面９１には化粧処理が施されており、その外周面９１に対して段を設けて内側に溶着用のリブ９２が設けられている。また蓋体９３の外周には周壁９４とその周壁９４の内側に溝部９５が形成されている。
【００２５】
そして、上記図４および図５に示した２つの工程によってリブ９２を内側に９０°倒れ込ませ、リブ９２と周壁９４とを溝部９５内に完全に収納させて、リブ９２が蓋体９３と同一の面を形成するようにしてもよい。
【００２６】
なお、本発明は上記した形態に限定されるものではなく、本発明の要旨を逸脱しない範囲内において種々の変更を加えてもかまわない。
【符号の説明】
【００２７】
１ 照明器具
２ ケーシング
３ 蓋体
５ ジグ
７ ヒータ
８ ヒータ
９ ケーシング
２１ 外周面
２２ リブ
Ｍ 溶着部
【図１】
2020059232.tif 000003
【図２】
2020059232.tif 000004
【図３】
2020059232.tif 000005
【図４】
2020059232.tif 000006
【図５】
2020059232.tif 000007
【図６】
2020059232.tif 000008